(57)【要約】【課題】片手による操作のみならず両手による操作をも受け付けることが可能な画像形成装置を提供する。【解決手段】画像形成装置は、操作者からの操作入力を受け付けるタッチパネル２５と、操作者の両手のうちの右手を検知する近接センサ２１ａと、両手のうちの左手を検知する近接センサ２１ｂと、近接センサ２１ａ，２１ｂによる検知結果に基づいて、タッチパネル２５に対する操作内容を判定する判定手段と、判定手段による判定結果に応じた動作を実行する動作制御手段とを備える。判定手段は、近接センサ２１ａにより右手が検知され且つ近接センサ２１ｂにより左手が検知されるときには、両手モードによる操作が行われている旨を判定し、近接センサ２１ａ，２１ｂにより両手のうちの一の手のみが検知されるときには、片手モードによる操作が行われている旨を判定する。【選択図】図７
2014119660.tif 000002
【特許請求の範囲】
【請求項１】
画像形成装置であって、
操作者からの操作入力を受け付けるタッチパネルと、
前記タッチパネルに対する操作を行っている前記操作者の両手のうちの一方の手である第１の手を検知する第１検知手段と、
前記両手のうちの他方の手である第２の手を検知する第２検知手段と、
前記第１検知手段による検知結果と前記第２検知手段による検知結果とに基づいて、前記タッチパネルに対する操作内容を判定する判定手段と、
前記判定手段による判定結果に応じた動作を実行する動作制御手段と、
を備え、
前記判定手段は、
前記第１検知手段により前記第１の手が検知され且つ前記第２検知手段により前記第２の手が検知されるときには、両手モードによる操作が行われている旨を判定し、
前記第１検知手段および前記第２検知手段により前記両手のうちの一の手のみが検知されるときには、片手モードによる操作が行われている旨を判定することを特徴とする画像形成装置。
【請求項２】
請求項１に記載の画像形成装置において、
前記判定手段は、
前記第１検知手段と前記第２検知手段とにより前記両手のうちの片手のみが検知され且つ前記タッチパネル上の異なる２つの位置に対する押下操作が行われるときには、前記片手による二本指操作が行われている旨を判定し、
前記第１検知手段と前記第２検知手段とにより前記両手の双方が検知され且つ前記タッチパネル上の異なる２つの位置に対する押下操作が行われるときには、前記両手のそれぞれによって一本指操作が行われている旨を判定することを特徴とする画像形成装置。
【請求項３】
請求項２に記載の画像形成装置において、
前記判定手段は、
前記第１検知手段と前記第２検知手段とにより前記両手のうちの片手のみが検知され且つ前記タッチパネル上の単一の位置に対する押下操作が行われるときには、前記片手による一本指操作が行われている旨を判定し、
前記第１検知手段と前記第２検知手段とにより前記両手の双方が検知され且つ前記タッチパネル上の異なる４つの位置に対する押下操作が行われるときには、前記両手のそれぞれによって二本指操作が行われている旨を判定することを特徴とする画像形成装置。
【請求項４】
請求項３に記載の画像形成装置において、
前記判定手段は、
前記第１検知手段と前記第２検知手段とにより前記両手の双方が検知され且つ前記タッチパネル上の異なる３つの位置に対する押下操作が行われるときには、前記両手のうちの一の手によって二本指操作が行われ且つ、前記両手のうちの他の手によって一本指操作が行われている旨を判定することを特徴とする画像形成装置。
【請求項５】
請求項２ないし請求項４のいずれかに記載の画像形成装置において、
前記タッチパネルは、第１の画像と第２の画像とを表示し、
前記動作制御手段は、
前記第１の手による前記一本指操作に応じて前記第１の画像の移動動作を実行し、
前記第２の手による前記一本指操作に応じて前記第２の画像の移動動作を実行し、
前記第１の手による前記二本指操作に応じて前記第１の画像の回転動作および／または変倍動作を実行し、
前記第２の手による前記二本指操作に応じて前記第２の画像の回転動作および／または変倍動作を実行することを特徴とする画像形成装置。
【請求項６】
請求項５に記載の画像形成装置において、
前記第１の画像は、両面プレビューにおける表面画像であり、
前記第２の画像は、前記両面プレビューにおける裏面画像であり、
前記タッチパネルにおいて、前記表面画像と前記裏面画像とは互いに重複して表示されていることを特徴とする画像形成装置。
【請求項７】
請求項５に記載の画像形成装置において、
前記第１の画像は、前記タッチパネル内における左右方向における一方側に配置された画像であり、
前記第２の画像は、前記タッチパネル内における左右方向における他方側に配置された画像であり、
前記タッチパネルにおいて、前記第１の画像と前記第２の画像とは互いに離間されて表示されていることを特徴とする画像形成装置。
【請求項８】
請求項１ないし請求項４のいずれかに記載の画像形成装置において、
前記動作制御手段は、入力欄を含む操作画面が前記タッチパネルに表示されている場合において、前記両手モードによる操作が行われた旨が前記判定手段により判定されるときには、前記入力欄に対する入力用のキーボード入力画像を前記タッチパネルに表示することを特徴とする画像形成装置。
【請求項９】
請求項８に記載の画像形成装置において、
前記キーボード入力画像は、前記入力欄に対する文字入力用のキーボード入力画像と前記入力欄に対する数字入力用のキーボード入力画像との少なくとも一方を含むことを特徴とする画像形成装置。
【請求項１０】
請求項２ないし請求項４のいずれかに記載の画像形成装置において、
前記動作制御手段は、入力欄を含む操作画面が前記タッチパネルに表示されている場合において、
前記両手のそれぞれによって一本指操作が行われている旨が前記判定手段により判定されるときには、前記入力欄に対する文字入力用のキーボード入力画像を前記タッチパネルに表示し、
前記片手による前記二本指操作が行われている旨が前記判定手段により判定されるときには、前記入力欄に対する数字入力用のソフトウエアテンキー画像を前記タッチパネルに表示することを特徴とする画像形成装置。
【請求項１１】
請求項１に記載の画像形成装置において、
前記動作制御手段は、
前記タッチパネルに表示された第１の操作画面内の第１のソフトウエアキーが前記第１の手により押下されることに応答して第２の操作画面を前記タッチパネルにポップアップ表示し、
前記第１の手による前記第１のソフトウエアキーの押下状態が継続されたまま前記第２の手による前記第２の操作画面内の第２のソフトウエアキーに対する押下操作が行われた後、前記両手モードによる操作期間中に前記第１の手による前記第１のソフトウエアキーの押下状態の解除操作が実行されることに応答して、前記第２の操作画面を非表示状態に変更することを特徴とする画像形成装置。
【請求項１２】
請求項１に記載の画像形成装置において、
前記動作制御手段は、
前記タッチパネルに表示された第１の操作画面内の第１のソフトウエアキーが前記第１の手により押下されることに応答して第２の操作画面を前記タッチパネルにポップアップ表示し、
前記第１の手による前記第１のソフトウエアキーの押下状態が継続されたまま前記第２の手による前記第２の操作画面内の第２のソフトウエアキーを押下する操作が前記両手モードによる操作として実行されることに応答して、前記第２の操作画面を非表示状態に変更することを特徴とする画像形成装置。
【発明の詳細な説明】
【技術分野】
【０００１】
本発明は、ＭＦＰ（マルチ・ファンクション・ペリフェラル（Multi-Functional Peripheral））などの画像形成装置に関する。
【背景技術】
【０００２】
ＭＦＰなどの画像形成装置においては、タッチパネルを有する操作部が設けられている。操作者は、当該タッチパネルに対する押下操作を用いて、画像形成装置に対する各種の操作入力指示を付与することが可能である。
【０００３】
また、タッチパネルを有する操作部に対しては、片手（右手あるいは左手）の一本指を用いた操作が行われる（特許文献１参照）。
【先行技術文献】
【特許文献】
【０００４】
【特許文献１】特開２０１２−１０８６７４号公報
【発明の概要】
【発明が解決しようとする課題】
【０００５】
タッチパネルに対する操作は、片手の一本指を用いて行われることが多い。また、片手の二本指を用いた操作も存在する。いずれにしても、ＭＦＰに対する操作は、通常、片手で行われる。
【０００６】
しかしながら、片手による操作のみならず両手による操作もが受け付けられることによれば、ＭＦＰに対する操作性をさらに向上させることが可能である。
【０００７】
そこで、本発明は、片手による操作のみならず両手による操作をも受け付けることが可能な画像形成装置を提供することを課題とする。
【課題を解決するための手段】
【０００８】
上記課題を解決すべく、請求項１の発明は、画像形成装置であって、操作者からの操作入力を受け付けるタッチパネルと、前記タッチパネルに対する操作を行っている前記操作者の両手のうちの一方の手である第１の手を検知する第１検知手段と、前記両手のうちの他方の手である第２の手を検知する第２検知手段と、前記第１検知手段による検知結果と前記第２検知手段による検知結果とに基づいて、前記タッチパネルに対する操作内容を判定する判定手段と、前記判定手段による判定結果に応じた動作を実行する動作制御手段と、を備え、前記判定手段は、前記第１検知手段により前記第１の手が検知され且つ前記第２検知手段により前記第２の手が検知されるときには、両手モードによる操作が行われている旨を判定し、前記第１検知手段および前記第２検知手段により前記両手のうちの一の手のみが検知されるときには、片手モードによる操作が行われている旨を判定することを特徴とする。
【０００９】
請求項２の発明は、請求項１の発明に係る画像形成装置において、前記判定手段は、前記第１検知手段と前記第２検知手段とにより前記両手のうちの片手のみが検知され且つ前記タッチパネル上の異なる２つの位置に対する押下操作が行われるときには、前記片手による二本指操作が行われている旨を判定し、前記第１検知手段と前記第２検知手段とにより前記両手の双方が検知され且つ前記タッチパネル上の異なる２つの位置に対する押下操作が行われるときには、前記両手のそれぞれによって一本指操作が行われている旨を判定することを特徴とする。
【００１０】
請求項３の発明は、請求項２の発明に係る画像形成装置において、前記判定手段は、前記第１検知手段と前記第２検知手段とにより前記両手のうちの片手のみが検知され且つ前記タッチパネル上の単一の位置に対する押下操作が行われるときには、前記片手による一本指操作が行われている旨を判定し、前記第１検知手段と前記第２検知手段とにより前記両手の双方が検知され且つ前記タッチパネル上の異なる４つの位置に対する押下操作が行われるときには、前記両手のそれぞれによって二本指操作が行われている旨を判定することを特徴とする。
【００１１】
請求項４の発明は、請求項３の発明に係る画像形成装置において、前記判定手段は、前記第１検知手段と前記第２検知手段とにより前記両手の双方が検知され且つ前記タッチパネル上の異なる３つの位置に対する押下操作が行われるときには、前記両手のうちの一の手によって二本指操作が行われ且つ、前記両手のうちの他の手によって一本指操作が行われている旨を判定することを特徴とする。
【００１２】
請求項５の発明は、請求項２ないし請求項４のいずれかの発明に係る画像形成装置において、前記タッチパネルは、第１の画像と第２の画像とを表示し、前記動作制御手段は、前記第１の手による前記一本指操作に応じて前記第１の画像の移動動作を実行し、前記第２の手による前記一本指操作に応じて前記第２の画像の移動動作を実行し、前記第１の手による前記二本指操作に応じて前記第１の画像の回転動作および／または変倍動作を実行し、前記第２の手による前記二本指操作に応じて前記第２の画像の回転動作および／または変倍動作を実行することを特徴とする。
【００１３】
請求項６の発明は、請求項５の発明に係る画像形成装置において、前記第１の画像は、両面プレビューにおける表面画像であり、前記第２の画像は、前記両面プレビューにおける裏面画像であり、前記タッチパネルにおいて、前記表面画像と前記裏面画像とは互いに重複して表示されていることを特徴とする。
【００１４】
請求項７の発明は、請求項５の発明に係る画像形成装置において、前記第１の画像は、前記タッチパネル内における左右方向における一方側に配置された画像であり、前記第２の画像は、前記タッチパネル内における左右方向における他方側に配置された画像であり、前記タッチパネルにおいて、前記第１の画像と前記第２の画像とは互いに離間されて表示されていることを特徴とする。
【００１５】
請求項８の発明は、請求項１ないし請求項４のいずれかの発明に係る画像形成装置において、前記動作制御手段は、入力欄を含む操作画面が前記タッチパネルに表示されている場合において、前記両手モードによる操作が行われた旨が前記判定手段により判定されるときには、前記入力欄に対する入力用のキーボード入力画像を前記タッチパネルに表示することを特徴とする。
【００１６】
請求項９の発明は、請求項８の発明に係る画像形成装置において、前記キーボード入力画像は、前記入力欄に対する文字入力用のキーボード入力画像と前記入力欄に対する数字入力用のキーボード入力画像との少なくとも一方を含むことを特徴とする。
【００１７】
請求項１０の発明は、請求項２ないし請求項４のいずれかの発明に係る画像形成装置において、前記動作制御手段は、入力欄を含む操作画面が前記タッチパネルに表示されている場合において、前記両手のそれぞれによって一本指操作が行われている旨が前記判定手段により判定されるときには、前記入力欄に対する文字入力用のキーボード入力画像を前記タッチパネルに表示し、前記片手による前記二本指操作が行われている旨が前記判定手段により判定されるときには、前記入力欄に対する数字入力用のソフトウエアテンキー画像を前記タッチパネルに表示することを特徴とする。
【００１８】
請求項１１の発明は、請求項１の発明に係る画像形成装置において、前記動作制御手段は、前記タッチパネルに表示された第１の操作画面内の第１のソフトウエアキーが前記第１の手により押下されることに応答して第２の操作画面を前記タッチパネルにポップアップ表示し、前記第１の手による前記第１のソフトウエアキーの押下状態が継続されたまま前記第２の手による前記第２の操作画面内の第２のソフトウエアキーに対する押下操作が行われた後、前記両手モードによる操作期間中に前記第１の手による前記第１のソフトウエアキーの押下状態の解除操作が実行されることに応答して、前記第２の操作画面を非表示状態に変更することを特徴とする。
【００１９】
請求項１２の発明は、請求項１の発明に係る画像形成装置において、前記動作制御手段は、前記タッチパネルに表示された第１の操作画面内の第１のソフトウエアキーが前記第１の手により押下されることに応答して第２の操作画面を前記タッチパネルにポップアップ表示し、前記第１の手による前記第１のソフトウエアキーの押下状態が継続されたまま前記第２の手による前記第２の操作画面内の第２のソフトウエアキーを押下する操作が前記両手モードによる操作として実行されることに応答して、前記第２の操作画面を非表示状態に変更することを特徴とする。
【発明の効果】
【００２０】
請求項１ないし請求項１２に記載の発明によれば、片手による操作のみならず両手による操作をも受け付けることが可能である。
【００２１】
特に、請求項２に記載の発明によれば、タッチパネル内にて２つの位置に対する押下操作が行われている場合において、両手それぞれによる一本指操作と片手による二本指操作とが良好に区別され得る。
【００２２】
また特に、請求項５に記載の発明によれば、２つの画像に関して、操作者は、第１の手で第１の画像を操作し、第２の手で第２の画像を操作することが可能である。また、操作者は、一本指操作と二本指操作とを区別して用いることによって、各画像に関する移動動作と回転動作等とをそれぞれ実現することが可能である。
【００２３】
また特に、請求項８に記載の発明によれば、両手モードによる操作が行われた旨が判定手段により判定されるときには、入力欄に対する入力用のキーボード入力画像がタッチパネルに自動的に表示されるので、操作者の操作性を向上させることが可能である。
【００２４】
また特に、請求項１１に記載の発明によれば、第１の操作画面内の第１のソフトウエアキーが第１の手により押下されることに応答して第２の操作画面がポップアップ表示され、第１の手による第１のソフトウエアキーの押下状態が継続されたまま第２の手による第２の操作画面内の第２のソフトウエアキーに対する押下操作が行われた後、第１の手による第１のソフトウエアキーの押下状態の解除操作が実行されることに応答して、第２の操作画面が非表示状態に変更される。したがって、第２の操作画面を閉じるために更に別のキーに対する操作を行うことを要しないので、操作者は高い操作性を得ることが可能である。換言すれば、両手モードによる操作を利用することによって、操作者は高い操作性を得ることができる。
【００２５】
また特に、請求項１２に記載の発明によれば、第１の操作画面内の第１のソフトウエアキーが第１の手により押下されることに応答して第２の操作画面がポップアップ表示され、第１の手による第１のソフトウエアキーの押下状態が継続されたまま第２の手による第２の操作画面内の第２のソフトウエアキーに対する押下操作が実行されることに応答して、第２の操作画面が非表示状態に変更される。したがって、第２の操作画面を閉じるために更に別のキー操作を行うことを要しないので、操作者は高い操作性を得ることが可能である。換言すれば、両手モードによる操作を利用することによって、操作者は高い操作性を得ることができる。
【図面の簡単な説明】
【００２６】
【図１】第１実施形態に係る画像形成装置の外観を示す図である。
【図２】画像形成装置の機能ブロックを示す図である。
【図３】操作パネル部を示す図である。
【図４】画像形成装置の動作を示すフローチャートである。
【図５】右手一本指操作を示す図である。
【図６】左手一本指操作を示す図である。
【図７】両手各一本指操作を示す図である。
【図８】右手二本指操作を示す図である。
【図９】左手二本指操作を示す図である。
【図１０】両手各二本指操作を示す図である。
【図１１】右手二本指操作と左手一本指操作とを示す図である。
【図１２】近接センサの配置例を示す図である。
【図１３】近接センサの配置例を示す図である。
【図１４】近接センサの配置例を示す図である。
【図１５】近接センサの配置例を示す図である。
【図１６】近接センサの配置例を示す図である。
【図１７】第２実施形態に係る操作を示す図である。
【図１８】第２実施形態に係る操作を示す図である。
【図１９】第３実施形態に係る操作を示す図である。
【図２０】文字入力用のソフトウエアキーボードが表示された様子を示す図である。
【図２１】第３実施形態に係る操作を示す図である。
【図２２】数字入力用のソフトウエアキーボードが表示された様子を示す図である。
【図２３】第４実施形態に係る画面遷移を示す図である。
【図２４】第４実施形態に係る画面遷移を示す図である。
【図２５】第４実施形態に係る画面遷移を示す図である。
【図２６】比較例に係る画面遷移を示す図である。
【図２７】比較例に係る画面遷移を示す図である。
【図２８】比較例に係る画面遷移を示す図である。
【図２９】比較例に係る画面遷移を示す図である。
【図３０】近接センサの配置例を示す図である。
【図３１】近接センサの配置例を示す図である。
【発明を実施するための形態】
【００２７】
以下、本発明の実施形態を図面に基づいて説明する。
【００２８】
＜１．第１実施形態＞
＜１−１．構成概要＞
図１は、第１実施形態に係る画像形成装置１０（１０Ａとも称する）の外観を示す図であり、図２は、画像形成装置１０の機能ブロックを示す図である。ここでは、画像形成装置１０として、ＭＦＰ（マルチ・ファンクション・ペリフェラル（Multi-Functional Peripheral））を例示する。
【００２９】
ＭＦＰ１０は、スキャン機能、コピー機能、ファクシミリ機能およびボックス格納機能などを備える装置（複合機とも称する）である。具体的には、ＭＦＰ１０は、図２の機能ブロック図に示すように、画像読取部２、印刷出力部３、通信部４、格納部５、操作部６およびコントローラ９等を備えており、これらの各部を複合的に動作させることによって、各種の機能を実現する。
【００３０】
画像読取部２は、ＭＦＰ１０の所定の位置に載置された原稿を光学的に読み取って（すなわちスキャンして）、当該原稿の画像データ（原稿画像なしいスキャン画像とも称する）を生成する処理部である。この画像読取部２は、スキャン部であるとも称される。
【００３１】
印刷出力部３は、印刷対象に関するデータに基づいて紙などの各種の媒体に画像を印刷出力する出力部である。
【００３２】
通信部４は、公衆回線等を介したファクシミリ通信を行うことが可能な処理部である。さらに、通信部４は、ネットワークＮＷを介したネットワーク通信を行うことも可能である。このネットワーク通信では、たとえば、ＴＣＰ／ＩＰ（Transmission Control Protocol / Internet Protocol）等の各種のプロトコルが利用される。当該ネットワーク通信を利用することによって、ＭＦＰ１０は、所望の相手先との間で各種のデータを授受することが可能である。
【００３３】
格納部５は、ハードディスクドライブ（ＨＤＤ）等の記憶装置で構成される。格納部５は、印刷ジョブに係るデータ等を記憶する。
【００３４】
操作部（ユーザインターフェイス部とも称する）６は、ＭＦＰ１０に対する入力を受け付ける操作入力部６ａと、各種情報の表示出力を行う表示部６ｂとを備えている。
【００３５】
このＭＦＰ１０においては、略板状の操作パネル部６ｃ（図１参照）が設けられている。また、操作パネル部６ｃは、その正面側にタッチパネル２５（図１参照）を有している。タッチパネル２５は、液晶表示パネルに圧電センサ等が埋め込まれて構成され、各種情報を表示するとともに操作者からの操作入力を受け付けることが可能である。たとえば、タッチパネル２５においては、メニュー画像（ボタン画像等を含む）が表示される。操作者は、タッチパネル２５内に仮想的に配置されるボタン（ボタン画像で表現されるボタン）を押下することによって、画像形成装置１０の各種動作内容を設定することなどが可能である。タッチパネル２５は、操作入力部６ａの一部としても機能するとともに、表示部６ｂの一部としても機能する。
【００３６】
また、操作パネル部６ｃは、図３に示すように、タッチパネル２５の周囲において近接センサ２１（２１ａ，２１ｂ）を有する。具体的には、略矩形状のタッチパネル２５の右辺の近傍領域において近接センサ２１ａが設けられ、タッチパネル２５の左辺の近傍領域において近接センサ２１ｂが設けられる。右側の近接センサ２１ａは、タッチパネル２５に対して操作を行っている操作者の右手を検知する検知手段として機能する。より詳細には、近接センサ２１ａは、操作者の右手がタッチパネル２５上および／またはタッチパネルの近傍に存在することを検知する。同様に、左側の近接センサ２１ｂは、タッチパネル２５に対して操作を行っている操作者の左手を検知する検知手段として機能する。より詳細には、近接センサ２１ｂは、操作者の左手がタッチパネル２５上および／またはタッチパネルの近傍に存在することを検知する。
【００３７】
コントローラ９は、ＭＦＰ１０に内蔵され、ＭＦＰ１０を統括的に制御する制御装置である。コントローラ９は、ＣＰＵおよび各種の半導体メモリ（ＲＡＭおよびＲＯＭ）等を備えるコンピュータシステムとして構成される。コントローラ９は、ＣＰＵにおいて、ＲＯＭ（例えば、ＥＥＰＲＯＭ）内に格納されている所定のソフトウエアプログラム（以下、単にプログラムとも称する）ＰＧ１を実行することによって、各種の処理部を実現する。なお、当該プログラム（詳細にはプログラムモジュール群）ＰＧ１は、ＵＳＢメモリなどの可搬性の記録媒体、あるいはネットワークＮＷ等を介してＭＦＰ１０にインストールされてもよい。
【００３８】
具体的には、図２に示すように、コントローラ９は、プログラムＰＧ１の実行により、判定部１２と動作制御部１４とを含む各種の処理部を実現する。
【００３９】
判定部１２は、近接センサ２１ａによる検知結果および近接センサ２１ｂによる検知結果等に基づいてタッチパネル２５に対する操作内容を判定する処理部である。
【００４０】
動作制御部１４は、判定部１２による判定結果に応じた動作を実行する処理部である。動作制御部１４は、操作者からの操作入力（操作指示）に基づき、タッチパネル２５における表示動作を制御する。また、動作制御部１４は、画像形成装置１０における印刷出力動作およびスキャン動作などの各種動作を制御する。
【００４１】
＜１−２．動作＞
＜概要＞
図３は、操作パネル部６ｃを示す図である。以下では、操作パネル部６ｃのタッチパネル２５に両面プレビューが表示されるとともに、両面プレビューの表（おもて）面の画像と裏面の画像との２つの画像を、操作者の両手あるいは片手を用いて操作する態様について、さらに詳細に説明する。この両面プレビューでは、表（おもて）面画像ＧＡと裏面画像ＧＢとが互いに重複して表示される（図５等参照）。当該両面プレビューにおいては、操作者の操作に応じて、用紙ＰＡ内での表面画像ＧＡの位置および大きさ等、ならびに用紙ＰＡ内での裏面画像ＧＢの位置および大きさ等をそれぞれ変更（調整）することが可能である。
【００４２】
上述のように、タッチパネル２５の右側に隣接配置された近接センサ２１ａは、タッチパネル２５に対して操作を行っている操作者の右手を検知する。また、タッチパネル２５の左側に隣接配置された近接センサ２１ｂは、タッチパネル２５に対して操作を行っている操作者の左手を検知する。
【００４３】
また、判定部１２（図２）は、近接センサ２１ａにより操作者の右手が検知され且つ近接センサ２１ｂにより操作者の左手が検知されるときには、両手モード（両手によって操作指示が付与されるモード）による操作が行われている旨を判定する。
【００４４】
一方、近接センサ２１ａ，２１ｂのうち近接センサ２１ａのみが反応して操作者の右手のみが検知されるときには、判定部１２は、片手モード（片手によって操作指示が付与されるモード）による操作が行われている旨を判定する。また、判定部１２は、近接センサ２１ａ，２１ｂのうち近接センサ２１ｂのみが反応して操作者の左手のみが検知されるときにも、片手モードによる操作が行われている旨を判定する。このように、近接センサ２１ａ，２１ｂにより操作者の両手のうちの一の手のみが検知されるときには、片手モードによる操作が行われている旨を判定する。
【００４５】
動作制御部１４は、両手モードによる操作が行われている旨が判定される場合と片手モードによる操作が行われている旨が判定される場合とで、互いに異なる動作を実行する。
【００４６】
また、この実施形態においては、操作者の右手および／または左手によって、一本指操作と二本指操作との双方が行われ得る。
【００４７】
一本指操作は、操作対象画像を移動する指示（移動指示）を付与する操作として用いられる。また、二本指操作は、操作対象画像を回転する指示（回転指示）および／または変倍する指示（変倍指示）を付与する操作として用いられる。
【００４８】
また、判定部１２は、近接センサ２１ａ，２１ｂによる判定結果とタッチパネル２５内における押下操作位置の数とに応じて、両手モードと片手モードとのいずれの操作モードによる操作が行われているか、および一本指操作と二本指操作とのいずれの操作が行われているのか等を判定する。
【００４９】
詳細には、近接センサ２１ａ，２１ｂにより両手のうちの一の手のみが検知され且つタッチパネル２５上の単一の位置に対する押下操作が行われるときには、当該一の手による一本指操作が行われている旨が判定される。
【００５０】
また、近接センサ２１ａ，２１ｂにより両手の双方が検知され且つタッチパネル２５上の異なる２つの位置に対する押下操作が行われるときには、両手のそれぞれによって一本指操作が行われている旨が判定される。
【００５１】
近接センサ２１ａ，２１ｂにより両手の双方が検知され且つタッチパネル２５上の異なる４つの位置に対する押下操作が行われるときには、両手のそれぞれによって二本指操作が行われている旨が判定される。
【００５２】
近接センサ２１ａ，２１ｂにより両手のうちの一の手のみ（右手のみ或いは左手のみ）が検知され且つタッチパネル２５上の異なる２つの位置に対する押下操作が行われるときには、当該一の手（右手あるいは左手）による二本指操作が行われている旨を判定する。
【００５３】
また、近接センサ２１ａ，２１ｂにより両手の双方が検知され且つタッチパネル２５上の異なる３つの位置に対する押下操作が行われるときには、両手のうちの一の手（たとえば右手）によって二本指操作が行われ且つ、両手のうちの他の手（たとえば左手）によって一本指操作が行われている旨が判定される。
【００５４】
以下では、このような動作判定を用いて、両面プレビュー画像の表（おもて）面の画像と裏面の画像との２つの画像を、右手と左手とでそれぞれ操作する態様について、さらに詳細に説明する。
【００５５】
また、この実施形態においては、右手によるタッチパネル２５の押下操作に応じて表（おもて）面画像ＧＡに対する編集動作が行われ、左手によるタッチパネル２５の押下に応じて裏面画像ＧＢに対する編集動作が行われる。より詳細には、右手による一本指操作に応じて表面画像ＧＡの移動動作が実行され、左手による一本指操作に応じて裏面画像ＧＢの移動動作が実行される。また、右手による二本指操作に応じて表面画像ＧＡの回転動作および／または変倍動作が実行され、左手による二本指操作に応じて裏面画像ＧＢの回転動作および／または変倍動作が実行される。
【００５６】
図４は、第１実施形態に係るＭＦＰ１０の動作を示すフローチャートである。
【００５７】
ステップＳ１１では、タッチパネル２５に対する押下操作（タッチ操作）の有無が判定される。操作者による押下操作がなされた旨が判定されると、ステップＳ１２に進む。
【００５８】
ステップＳ１２では、近接センサ２１ａ，２１ｂにより片手又は両手が検知されたか否かが判定される。近接センサ２１ａ，２１ｂの双方が反応した場合には両手モードによる操作が行われた旨が判定され、近接センサ２１ａ，２１ｂの一方のみが反応した場合には片手モードによる操作が行われた旨が判定される。
【００５９】
ステップＳ１２において片手モードによる操作が行われた旨が判定される場合には、ステップＳ１４に進む。ステップＳ１４においては、片手モードに関する操作解析動作等が実行される。これにより、図５、図６、図８、および図９に示すような各タッチ動作が検知されるとともに、当該検知結果に応じた画像編集動作が実行される。
【００６０】
一方、ステップＳ１２において両手モードによる操作が行われた旨が判定される場合には、ステップＳ１６に進む。ステップＳ１６においては、両手モードにおける操作解析動作等が実行される。これにより、図７、図１０、図１１等に示すような各タッチ動作が検知されるとともに、当該検知結果に応じた画像編集動作が実行される。
【００６１】
以下では、図５〜図１１を参照して各操作に関して詳細に説明する。
【００６２】
＜右手一本指操作＞
図５は、右手による一本指操作を示す図である。ここではまず、図５に示すように、操作者がその右手をタッチパネル２５に向けて伸ばし、右手が近接センサ２１ａの近傍に存在する状態でタッチパネル２５を右手の１本の指（たとえば人差し指）で押下（タッチ）する状況を想定する。
【００６３】
この状況では、近接センサ２１ａが当該近接センサ２１ａ付近に右手が存在することを検知する。すなわち、近接センサ２１ａにより右手が検知される。一方、近接センサ２１ｂは当該近接センサ２１ｂ付近に左手が存在しないことを検知する。すなわち、左手は近接センサ２１ｂにより検知されず、タッチパネル２５付近における左手の不存在が検知される。このように、近接センサ２１ａ，２１ｂのうち近接センサ２１ａのみが反応（「オン」）し、両手のうちの右手のみが検知される。
【００６４】
また、タッチパネル２５においては、単一の位置ＰＧ１に対する押下操作が検出される。
【００６５】
このように、近接センサ２１ａ，２１ｂにより両手のうちの右手のみが検知される場合において、タッチパネル２５上の単一の位置に対する押下操作が検出されるときには、右手による一本指操作が行われている旨が判定される。なお、右手のみが検知される場合には、タッチパネル２５内の任意の位置に対する押下操作が右手による押下操作であると判定される。
【００６６】
そして、操作者の右手の一本指をタッチパネル２５に接触させつつタッチパネル２５上でスライドさせる操作に応じて、動作制御部１４は、表面画像ＧＡを任意の方向（上下左右方向）に移動する動作（（並進）移動動作）を行う。
【００６７】
＜左手一本指操作＞
同様に、図６に示すように、操作者がその左手をタッチパネル２５に向けて伸ばし、左手が近接センサ２１ｂの近傍に存在する状態でタッチパネル２５を左手の１本の指（たとえば人差し指）で押下（タッチ）する状況を想定する。
【００６８】
この状況では、近接センサ２１ｂが当該近接センサ２１ｂ付近に左手が存在することを検知する。すなわち、近接センサ２１ｂにより左手が検知される。一方、近接センサ２１ａは当該近接センサ２１ａ付近に右手が存在しないことを検知する。すなわち、右手は近接センサ２１ａにより検知されず、タッチパネル２５付近における右手の不存在が検知される。このように、近接センサ２１ａ，２１ｂのうち近接センサ２１ｂのみが反応（「オン」）し、両手のうちの左手のみが検知される。
【００６９】
また、タッチパネル２５においては、単一の位置ＰＧ２に対する押下操作が検出される。
【００７０】
このように、近接センサ２１ａ，２１ｂにより両手のうちの左手のみが検知される場合において、タッチパネル２５上の単一の位置に対する押下操作が検出されるときには、左手による一本指操作が行われている旨が判定される。なお、左手のみが検知される場合には、タッチパネル２５内の任意の位置に対する押下操作が左手による押下操作であると判定される。
【００７１】
そして、操作者の左手の一本指をタッチパネル２５に接触させつつタッチパネル２５上でスライドさせる操作に応じて、動作制御部１４は、今度は裏面画像ＧＢを任意の方向（上下左右方向）に移動する動作（移動動作）を行う。
【００７２】
＜両手各一本指操作＞
また、図７に示すように、操作者がその右手をタッチパネル２５に向けて伸ばし右手が近接センサ２１ａの近傍に存在する状態でタッチパネル２５を右手の１本の指で押下（タッチ）し、且つ、操作者がその左手をもタッチパネル２５に向けて伸ばし左手が近接センサ２１ｂの近傍に存在する状態でタッチパネル２５を左手の１本の指で押下（タッチ）する状況を想定する。
【００７３】
この状況では、近接センサ２１ａは、当該近接センサ２１ａ付近に右手が存在することを検知する。すなわち、近接センサ２１ａにより右手が検知される。さらに、近接センサ２１ｂは、当該近接センサ２１ｂ付近に左手が存在することを検知する。すなわち、近接センサ２１ｂにより左手が検知される。このように、近接センサ２１ａ，２１ｂの両方が反応（「オン」）し、両手が検知される。
【００７４】
また、タッチパネル２５においては、２つの位置ＰＧ１，ＰＧ２に対する押下操作が検出される。
【００７５】
このように近接センサ２１ａ，２１ｂにより両手の双方が検知される場合において、タッチパネル２５上の２つの位置に対する押下操作が検出されるときには、右手による一本指操作と左手による一本指操作とが行われている旨が判定される。
【００７６】
なお、近接センサ２１ａ，２１ｂにより両手が検知され且つタッチパネル２５内での２つの押下位置（ＰＧ１，ＰＧ２）が検出される場合には、当該２つの押下位置のうち、右手検知用の近接センサ２１ａに比較的近い位置（ＰＧ１）が右手の押下操作位置であり且つ他方の位置（ＰＧ２）が左手の押下操作位置である旨、が判定される。
【００７７】
そして、操作者の右手の一本指をタッチパネル２５上でスライドさせる操作に応じて、動作制御部１４は、表面画像ＧＡを任意の方向（上下左右方向）に移動する動作（移動動作）を行う。また、操作者の左手の一本指をタッチパネル２５上でスライドさせる操作に応じて、動作制御部１４は、裏面画像ＧＢを任意の方向（上下左右方向）に移動する動作（移動動作）を行う。
【００７８】
＜右手二本指操作＞
図８に示すように、操作者がその右手をタッチパネル２５に向けて伸ばし、右手が近接センサ２１ａの近傍に存在する状態でタッチパネル２５を右手の２本の指（たとえば人差し指および親指）で押下（タッチ）する状況を想定する。
【００７９】
この状況では、近接センサ２１ａが当該近接センサ２１ａ付近に右手が存在することを検知する。すなわち、近接センサ２１ａにより右手が検知される。一方、近接センサ２１ｂは当該近接センサ２１ｂ付近に左手が存在しないことを検知する。すなわち、左手は近接センサ２１ｂにより検知されず、タッチパネル２５付近における左手の不存在が検知される。このように、近接センサ２１ａ，２１ｂのうち近接センサ２１ａのみが反応（「オン」）し、両手のうちの右手のみが検知される。
【００８０】
また、タッチパネル２５においては、２つの位置ＰＧ１，ＰＧ３に対する押下操作が検出される。
【００８１】
このように、近接センサ２１ａ，２１ｂにより両手のうちの右手のみが検知される場合において、タッチパネル２５上の２つの位置に対する押下操作が検出されるときには、右手による二本指操作が行われている旨が判定される。なお、上述のように、右手のみが検知される場合には、タッチパネル２５内の任意の位置に対する押下操作が右手による押下操作であると判定される。
【００８２】
そして、操作者の右手の二本指をタッチパネル２５上で相対的に回転移動させる操作に応じて、動作制御部１４は、表面画像ＧＡを回転する動作（回転動作）を行う。また、操作者の右手の二本指の少なくとも一方をタッチパネル２５上でスライドして当該二本指の相互間の距離を変更する操作に応じて、動作制御部１４は、表面画像ＧＡを変倍（拡大あるいは縮小）する動作（変倍動作）を行う。
【００８３】
＜左手二本指操作＞
同様に、図９に示すように、操作者がその左手をタッチパネル２５に向けて伸ばし、左手が近接センサ２１ｂの近傍に存在する状態でタッチパネル２５を左手の２本の指（たとえば人差し指および親指）で押下（タッチ）する状況を想定する。
【００８４】
この状況では、近接センサ２１ｂが当該近接センサ２１ｂ付近に左手が存在することを検知する。すなわち、近接センサ２１ｂにより左手が検知される。一方、近接センサ２１ａは当該近接センサ２１ａ付近に右手が存在しないことを検知する。すなわち、右手は近接センサ２１ａにより検知されず、タッチパネル２５付近における右手の不存在が検知される。このように、近接センサ２１ａ，２１ｂのうち近接センサ２１ｂのみが反応（「オン」）し、両手のうちの左手のみが検知される。
【００８５】
また、タッチパネル２５においては、２つの位置ＰＧ２，ＰＧ４に対する押下操作が検出される。
【００８６】
このように、近接センサ２１ａ，２１ｂにより両手のうちの左手のみが検知される場合において、タッチパネル２５上の２つの位置に対する押下操作が検出されるときには、左手による二本指操作が行われている旨が判定される。なお、上述のように、左手のみが検知される場合には、タッチパネル２５内の任意の位置に対する押下操作が左手による押下操作であると判定される。
【００８７】
そして、操作者の左手の二本指をタッチパネル２５上で相対的に回転移動させる操作に応じて、動作制御部１４は、裏面画像ＧＢを回転する動作（回転動作）を行う。また、操作者の左手の二本指の少なくとも一方をタッチパネル２５上でスライドして当該二本指の相互間の距離を変更する操作に応じて、動作制御部１４は、裏面画像ＧＢを変倍（拡大あるいは縮小）する動作（変倍動作）を行う。
【００８８】
＜両手各二本指操作＞
また、図１０のような状況も存在する。図１０においては、操作者はその右手をタッチパネル２５に向けて伸ばし右手が近接センサ２１ａの近傍に存在する状態で、当該操作者はタッチパネル２５を右手の２本の指（たとえば人差し指および親指）で押下（タッチ）している。また、これに加えて、図１０においては、操作者はその左手をもタッチパネル２５に向けて伸ばし左手が近接センサ２１ｂの近傍に存在する状態で、当該操作者はタッチパネル２５を左手の２本の指（たとえば人差し指および親指）で押下（タッチ）している。
【００８９】
この状況では、近接センサ２１ａは、当該近接センサ２１ａ付近に右手が存在することを検知する。すなわち、近接センサ２１ａにより右手が検知される。さらに、近接センサ２１ｂは、当該近接センサ２１ｂ付近に左手が存在することを検知する。すなわち、近接センサ２１ｂにより左手が検知される。このように、近接センサ２１ａ，２１ｂの両方が反応（「オン」）し、両手が検知される。
【００９０】
また、タッチパネル２５においては、合計４つの位置ＰＧ１〜ＰＧ４に対する押下操作が検出される。
【００９１】
このように、近接センサ２１ａ，２１ｂにより両手の双方が検知される場合において、タッチパネル２５内の４つの位置が押下されているときには、右手による二本指操作と左手による二本指操作とが行われている旨が判定される。
【００９２】
なお、近接センサ２１ａ，２１ｂにより両手が検知され且つタッチパネル２５内での４つの押下位置（ＰＧ１〜ＰＧ４）が検知される場合には、当該４つの押下位置のうち、右手検知用の近接センサ２１ａに比較的近い２つの位置（ＰＧ１，ＰＧ３）が右手の押下操作位置であり且つ残りの２つ位置（ＰＧ２，ＰＧ４）が左手の押下操作位置である旨、が判定される。
【００９３】
そして、操作者の右手の二本指をタッチパネル２５上で相対的に回転移動させる操作に応じて、動作制御部１４は、表面画像ＧＡを回転する動作（回転動作）を行う。また、操作者の右手の二本指の少なくとも一方をタッチパネル２５上でスライドして当該二本指の相互間の距離を変更する操作に応じて、動作制御部１４は、表面画像ＧＡを変倍（拡大あるいは縮小）する動作（変倍動作）を行う。
【００９４】
また、操作者の左手の二本指をタッチパネル２５上で相対的に回転移動させる操作に応じて、動作制御部１４は、裏面画像ＧＢを回転する動作（回転動作）を行う。また、操作者の左手の二本指の少なくとも一方をタッチパネル２５上でスライドして当該二本指の相互間の距離を変更する操作に応じて、動作制御部１４は、裏面画像ＧＢを変倍（拡大あるいは縮小）する動作（変倍動作）を行う。
【００９５】
＜右手二本指操作＆左手一本指操作＞
さらに、図１１のような状況も存在する。図１１においては、操作者はその右手をタッチパネル２５に向けて伸ばし右手が近接センサ２１ａの近傍に存在する状態で、当該操作者はタッチパネル２５を右手の２本の指（たとえば人差し指および親指）で押下（タッチ）している。また、これに加えて、図１１においては、操作者はその左手をもタッチパネル２５に向けて伸ばし左手が近接センサ２１ｂの近傍に存在する状態で、当該操作者はタッチパネル２５を左手の「１本」の指（たとえば人差し指）で押下（タッチ）している。
【００９６】
この状況では、近接センサ２１ａは、当該近接センサ２１ａ付近に右手が存在することを検知する。すなわち、近接センサ２１ａにより右手が検知される。さらに、近接センサ２１ｂは、当該近接センサ２１ｂ付近に左手が存在することを検知する。すなわち、近接センサ２１ｂにより左手が検知される。このように、近接センサ２１ａ，２１ｂの両方が反応（「オン」）し、両手が検知される。
【００９７】
また、タッチパネル２５においては、合計３つの位置ＰＧ１〜ＰＧ３に対する押下操作が検出される。
【００９８】
このように、近接センサ２１ａ，２１ｂにより両手の双方が検知される場合において、タッチパネル２５内の３つの位置が押下されているときには、一方の手による二本指操作と他方の手による一本指操作とが行われている旨が判定される。
【００９９】
近接センサ２１ａ，２１ｂにより両手が検知され且つタッチパネル２５内での３つの押下位置（ＰＧ１〜ＰＧ３）が検出される場合には次のような判定動作が行われる。
【０１００】
まず、当該３つの押下位置のうち、右手検知用の近接センサ２１ａに最も近い１つの位置（ＰＧ１）が右手の押下操作位置であり且つ左手検知用の近接センサ２１ｂに最も近い１つの位置（ＰＧ２）が左手の押下操作位置である旨、が判定される。また、残りの位置ＰＧ３は、近接センサ２１ａ，２１ｂのうちいずれに近い位置であるかに応じて、いずれの手による押下操作位置であるかが決定される。
【０１０１】
たとえば、残りの位置ＰＧ３が両近接センサ２１ａ，２１ｂのうち右手検知用の近接センサ２１ａに比較的近い場合には、位置ＰＧ３は右手による押下操作位置である旨が判定される。この場合には、右手によって２つの位置ＰＧ１，ＰＧ３が押下されており、右手による二本指操作が行われている旨が判定される。また、左手によって単一位置ＰＧ２が押下されており、左手による一本指操作が行われている旨も判定される。このように、右手による二本指操作と左手による一本指操作とが行われている旨が判定される。
【０１０２】
そして、操作者の右手の二本指をタッチパネル２５上で相対的に回転移動させる操作に応じて、動作制御部１４は、表面画像ＧＡを回転する動作（回転動作）を行う。また、操作者の右手の二本指の少なくとも一方をタッチパネル２５上でスライドして当該二本指の相互間の距離を変更する操作に応じて、動作制御部１４は、表面画像ＧＡを変倍（拡大あるいは縮小）する動作（変倍動作）を行う。
【０１０３】
そして、操作者の左手の一本指をタッチパネル２５上でスライドさせる操作に応じて、動作制御部１４は、裏面画像ＧＢを任意の方向（上下左右方向）に移動する動作（移動動作）を行う。
【０１０４】
なお、右手一本指操作且つ左手二本指操作についても、左右が逆転する点を除き、同様にして判定される。
【０１０５】
＜１−３．実施形態に係る効果＞
以上の動作によれば、近接センサ２１ａ，２１ｂにより右手と左手との双方が検知されるときには、両手モードによる操作が行われている旨が判定され、近接センサ２１ａ，２１ｂにより両手のうちの一の手のみが検知されるときには、片手モードによる操作が行われている旨が判定される。したがって、両手による操作と片手による操作とを良好に区別しつつ、片手による操作のみならず両手による操作をも受け付けることが可能である。
【０１０６】
特に、近接センサ２１ａ，２１ｂにより両手のうちの一の手のみが検知され且つタッチパネル２５上の異なる２つの位置に対する押下操作が行われるときには、一の手による二本指操作が行われている旨が判定される（図８および図９参照）。一方、近接センサ２１ａ，２１ｂにより両手の双方が検知され且つタッチパネル２５上の異なる２つの位置に対する押下操作が行われるときには、両手のそれぞれによって一本指操作が行われている旨が判定される（図７参照）。したがって、タッチパネル２５内にて２つの位置に対する押下操作が行われている場合において、両手のそれぞれによる一本指操作と片手による二本指操作とが良好に区別され得る。
【０１０７】
また、上記実施形態では、タッチパネル２５上の異なる２つの位置に対する押下操作が行われる場合において、両手モードによる操作が行われている旨が判定されるときと片手モードによる操作が行われている旨が判定されるときとで、互いに異なる動作が実行される。
【０１０８】
たとえば、近接センサ２１ａ，２１ｂにより両手のうちの右手のみが検知され且つタッチパネル２５上の異なる２つの位置に対する押下操作が行われるときには、上述ように、判定部１２は、右手による二本指操作が行われている旨を判定する。そして、このときには、動作制御部１４は、表面画像ＧＡに対する回転動作等を行う（図８）。
【０１０９】
一方、近接センサ２１ａ，２１ｂにより両手の双方が検知され且つタッチパネル２５上の異なる２つの位置に対する押下操作が行われるときには、判定部１２は、両手のそれぞれによって一本指操作が行われている旨を判定する。このときには、動作制御部１４は、右手の一本指操作に基づく表面画像ＧＡの移動動作と左手の一本指操作に基づく裏面画像ＧＢの移動動作とを行う（図７）。
【０１１０】
このように、両手モードと片手モードとに応じて互いに異なる動作が実行される。換言すれば、操作者は、両手モードと片手モードとを適宜に使い分けることによって、両手あるいは片手を使って様々な動作をＭＦＰ１０に適切に行わせることが可能である。
【０１１１】
さらには、上記実施形態においては、片手一本指動作が行われる状況（図５および図６）、両手それぞれによる各二本指動作が行われる状況（図１０）、両手のうちの一方の手による二本指動作と他方の手による一本指動作とが行われる状況（図１１）とが適切に互いに区別されて判定され、各状況に応じた動作が実行される。
【０１１２】
特に、両面プレビューにおいて互いに重複して表示される両画像ＧＡ，ＧＢに関して、操作者は、右手で表面画像ＧＡを操作し、左手で裏面画像ＧＢを操作することが可能である。すなわち、操作者は、右手と左手とによってそれぞれ対応する画像を同時に操作することが可能である。なお、上記実施形態とは異なる操作技術、具体的には表面画像ＧＡと裏面画像ＧＢとの間で操作対象画像を切り換える操作を伴いつつ片手で２つの画像ＧＡ，ＧＢを操作する技術も考えられる。一方、当該技術とは異なる上記実施形態によれば、操作者は、操作対象画像を切り換える操作を行うことを要さず、直感的な操作を行うことが可能である。さらに、上記実施形態によれば、操作者は、一本指操作と二本指操作とを区別して用いることによって、各画像に関する移動動作と回転動作等とをそれぞれ実現することが可能である。
【０１１３】
＜１−４．変形例＞
なお、この実施形態においては、右手によるタッチパネル２５の押下操作に応じて表（おもて）面画像ＧＡに対する編集動作が行われ、左手によるタッチパネル２５の押下に応じて裏面画像ＧＢに対する編集動作が行われる態様が例示されている。ただし、本発明はこれに限定されず、左手によるタッチパネル２５の押下操作に応じて表（おもて）面画像ＧＡに対する編集動作が行われ、右手によるタッチパネル２５の押下に応じて裏面画像ＧＢに対する編集動作が行われてもよい。すなわち、右手あるいは左手による操作対象画像が左右逆であってもよい。
【０１１４】
また、上記実施形態においては、近接センサ２１ａ，２１ｂがタッチパネル２５の左側と右側とにそれぞれ配置されている態様が例示されている。しかしながら、本発明はこれに限定されない。たとえば、図１２に示すように、右手検知用の近接センサ２１ａがタッチパネル２５の上側に配置され、左手検知用の近接センサ２１ｂがタッチパネル２５の左側に配置されるようにしてもよい。あるいは、図１３に示すように、右手検知用の近接センサ２１ａがタッチパネル２５の下側に配置され、左手検知用の近接センサ２１ｂがタッチパネル２５の左側に配置されるようにしてもよい。あるいは、図１４に示すように、右手検知用の近接センサ２１ａがタッチパネル２５の右側に配置され、左手検知用の近接センサ２１ｂがタッチパネル２５の上側に配置されるようにしてもよい。あるいは、図１５に示すように、右手検知用の近接センサ２１ａがタッチパネル２５の右側に配置され、左手検知用の近接センサ２１ｂがタッチパネル２５の下側に配置されるようにしてもよい。あるいは、図１６に示すように、右手検知用の近接センサ２１ａがタッチパネル２５の下側に配置され、左手検知用の近接センサ２１ｂがタッチパネル２５の上側に配置されるようにしてもよい。なお、図１６とは逆に、右手検知用の近接センサ２１ａがタッチパネル２５の上側に配置され、左手検知用の近接センサ２１ｂがタッチパネル２５の下側に配置されるようにしてもよい。
【０１１５】
これらの改変は、第１実施形態のみならず、他の実施形態についても同様に行うことが可能である。
【０１１６】
＜２．第２実施形態＞
第２実施形態は、第１実施形態の変形例である。以下では、第１実施形態との相違点を中心に説明する。
【０１１７】
上記第１実施形態では、タッチパネル２５において、両面プレビューの表（おもて）面画像ＧＡと裏面画像ＧＢとが重複して表示される場合において、両手あるいは片手を用いて表面画像ＧＡと裏面画像ＧＢとを操作する態様が例示されている。
【０１１８】
第２実施形態においては、２つの画像ＧＣ，ＧＤが互いに離間した状態でタッチパネル２５に表示される場合において、両手あるいは片手を用いて２つの画像ＧＣ，ＧＤを操作する態様について説明する。
【０１１９】
この第２実施形態では、図１７および図１８に示すように、右側画像ＧＣと左側画像ＧＤとが互いに離間された状態でタッチパネル２５に表示される。なお、図１７および図１８は、第２実施形態に係る操作画面等を示す図である。
【０１２０】
また、タッチパネル２５内における各操作入力の内容は次のようにして判定される。
【０１２１】
まず、片手モードの場合（近接センサ２１ａ，２１ｂの一方のみが反応する場合）には、タッチパネル２５内における各押下位置（各検出位置）は、操作している手（片手）による一本指操作あるいは二本指操作による押下操作位置であるものと判定される。たとえば、右手検知用の近接センサ２１ａのみが反応している場合において、タッチパネル２５内の単一の押下位置が検出されるときには、右手（反応している近接センサ２１ａに対応する手）による一本指操作であると判定される。また、図１８に示すように、右手検知用の近接センサ２１ａのみが反応している場合において、タッチパネル２５内の２つの押下位置（たとえばＰＧ１，ＰＧ２）が検出されるときには、右手（反応している近接センサ２１ａに対応する手）による二本指操作であると判定される。
【０１２２】
一方、両手モードの場合（近接センサ２１ａ，２１ｂの双方が反応する場合）には、タッチパネル２５内での押下位置の数にも応じて各押下位置が左手の押下操作位置と右手の押下操作位置とのいずれに該当するかが決定される。たとえば、図１７に示すように、タッチパネル２５内において２つの押下位置（ＰＧ１，ＰＧ２）が検知されるときには、当該２つの押下位置のうち、右手検知用の近接センサ２１ａに比較的近い位置（ＰＧ１）が右手の押下操作位置であり且つ他方の位置（ＰＧ２）が左手の押下操作位置である旨、が判定される。また、タッチパネル２５内での４つの押下位置（ＰＧ１〜ＰＧ４）が検出されるときには、当該４つの押下位置のうち、右手検知用の近接センサ２１ａに比較的近い２つの位置（ＰＧ１，ＰＧ３）が右手の押下操作位置であり且つ残りの２つ位置（ＰＧ２，ＰＧ４）が左手の押下操作位置である旨、が判定される。さらに、タッチパネル２５内にて３つの押下位置（ＰＧ１〜ＰＧ３）が検出される場合には、当該３つの押下位置のうち、右手検知用の近接センサ２１ａに最も近い１つの位置（ＰＧ１）が右手の押下操作位置であり且つ左手検知用の近接センサ２１ｂに最も近い１つの位置（ＰＧ２）が左手の押下操作位置である旨、が判定される。また、残りの位置ＰＧ３は、近接センサ２１ａ，２１ｂのうちいずれに近い位置であるかに応じて、いずれの手による押下操作位置であるかが決定される。
【０１２３】
そして、右手による一本指操作に応じて右側画像ＧＣの移動動作が実行され、左手による一本指操作に応じて左側画像ＧＤの移動動作が実行される。また、右手による二本指操作に応じて右側画像ＧＣの回転動作および／または変倍動作が実行され、左手による二本指操作に応じて左側画像ＧＤの回転動作および／または変倍動作が実行される。
【０１２４】
なお、この実施形態においても、右手および左手の各指は、タッチパネル２５内において、必ずしも操作対象画像を押下していることを要さず、操作対象画像とは異なる部分（空白領域等）を押下していてもよい。
【０１２５】
以上のような態様によれば、両手あるいは片手を利用して２つの画像を適宜に操作することが可能である。
【０１２６】
特に、近接センサ２１ａ，２１ｂを用いて片手モードか両手モードかを判定することによれば、ＭＦＰ１０は、片手モードにおける一方の手の２本指操作と両手モードにおける左右両方の手の各一本指操作とを明確に区別して判定することが可能である。また特に、右手の指と左手の指とがそれぞれ互いに近接した位置を押下して左右両方の手による各一本指操作が行われている状況（図１７参照）と、片手の二本指が互いに近接した位置を押下して片手による二本指操作が行われている状況（図１８参照）とが明確に区別され得る。
【０１２７】
＜３．第３実施形態＞
第３実施形態は、第１実施形態の変形例である。以下では、第１実施形態との相違点を中心に説明する。
【０１２８】
上記第１実施形態等では、タッチパネル２５において、２つの画像が表示される場合において、両手あるいは片手を用いて当該２つの画像を操作する態様が例示されている。
【０１２９】
この第３実施形態では、入力欄ＣＴを含む操作画面（より詳細には、電子メールの宛先入力画面）ＳＣ２がタッチパネル２５に表示されている場合において両手あるいは片手を用いて操作画面を操作する態様が例示される（図１９〜図２２参照）。
【０１３０】
図１９は、タッチパネル２５において、操作画面（より詳細には、電子メールの宛先入力画面）ＳＣ２が表示されている様子を示す図である。図１９に示すように、この操作画面ＳＣ２には、予め宛先が登録された複数の宛先指定キーＤＳ１，ＤＳ２，...等と、入力欄ＣＴとが設けられている。
【０１３１】
操作者は、操作画面ＳＣ２に表示された複数の宛先指定キーＤＳ１，ＤＳ２，...の中から、所望の宛先指定キー（たとえばＤＳ１）を指定することによって、宛先を指定することが可能である。具体的には、操作者は、片手の一本指操作を用いることによって操作画面ＳＣ２に対して通常の操作指示（第１の操作指示とも称する）を付与する。詳細には、操作者の両手のうちの一方の手（右手あるいは左手）の１つの指（例えば人差し指）でいずれかの宛先指定キーが押下されると、近接センサ２１ａ，２１ｂのうちの一方のみが反応し、片手モードによる操作が行われている旨が判定部１２により判定される。そして、当該各宛先指定キーに対応する宛先が選択され、当該宛先が送信先として決定される。
【０１３２】
また、操作者は、図１９に示すように、両手を用いることによって、上述の第１の操作指示とは異なる第２の操作指示を操作画面ＳＣ２に対して付与することができる。より具体的には、操作者は、右手と左手とでタッチパネル２５内の所定部分（たとえば、各宛先指定キー以外の部分における２つの位置ＰＧ１，ＰＧ２）をそれぞれ押下する。このような押下操作に応じて、近接センサ２１ａ，２１ｂのうちの双方が反応し、両手モードによる操作が行われている旨が判定部１２により判定される。そして、図２０に示すように、文字入力用のキーボード入力画像（ソフトウエアキーボード）ＫＢが、動作制御部１４等によってタッチパネル２５に表示される。このキーボード入力画像ＫＢは、キーボードを模した画像であり、操作者は、タッチパネル２５に表示されたキーボード入力画像（ソフトウエアキーボード）ＫＢを用いることにより、入力欄ＣＴに対して文字（たとえば電子メールアドレスを示す文字列）を入力し、宛先を直接的に指定することが可能である。
【０１３３】
このように、入力欄ＣＴを含む操作画面ＳＣ２がタッチパネル２５に表示されている場合において、両手モードによる操作が行われた旨が判定されるときには、入力欄に対する入力用のキーボード入力画像ＫＢがタッチパネル２５に表示される。
【０１３４】
また、操作者は、片手の二本指操作を用いることによって、操作画面ＳＣ２（図１９参照）に対して、第２の操作指示とも異なる第３の操作指示を付与することができる。具体的には、図２１に示すように操作者の右手でタッチパネル２５内の所定部分（たとえば、各宛先指定キー以外の右側部分における２つの位置ＰＧ１，ＰＧ３）が押下されると、近接センサ２１ａ，２１ｂのうちの近接センサ２１ａのみが反応し、片手モードによる操作が行われている旨が判定部１２により判定される。また、２つの位置に対して押下操作が行われていることも判定され、操作者による操作が右手二本指操作であることが判定される。このような判定結果に基づいて、図２２に示すように、数字入力用のキーボード入力画像（テンキー画像）ＫＴが、動作制御部１４等によってタッチパネル２５に表示される。このキーボード入力画像ＫＴは、キーボードを模した画像であり、操作者は、タッチパネル２５に表示されたキーボード入力画像（テンキー画像）ＫＴを用いることにより、入力欄ＣＴに対して数字（たとえば、電子メールアドレスを示す文字列に含まれる数字）を入力し、宛先を直接的に指定することが可能である。
【０１３５】
このように、入力欄ＣＴを含む操作画面ＳＣ２がタッチパネル２５に表示されている場合において、片手モードにおいて二本指操作が行われた旨が判定されるときには、入力欄に対する入力用のテンキー画像ＫＴがタッチパネル２５に表示される。
【０１３６】
以上のような態様によれば、両手モードによる操作が行われている旨が判定されるときには、入力欄ＣＴに対する文字入力用のキーボード入力画像ＫＢがタッチパネルに自動的に表示される（図２０）ので、操作者の操作性を向上させることが可能である。
【０１３７】
また、片手モードによる二本指操作が行われている旨が判定される場合には、入力欄ＣＴに対する数字入力用のテンキー画像ＫＴがタッチパネルに自動的に表示される（図２２）ので、操作者の操作性を向上させることが可能である。
【０１３８】
特に、２種類の操作（詳細には、両手各１本指操作および片手二本指操作）に応じて２種類のキーボード画像ＫＢ，ＫＴが選択的に表示されるため、操作者は高い操作性を得ることが可能である。ただし、本発明はこれに限定されず、操作者の操作に応じて、キーボード画像ＫＢのみ（あるいはキーボード画像ＫＴのみ）が表示されるようにしてもよい。
【０１３９】
なお、ここでは、テンキー画像ＫＴ（図２２）が右手二本指操作に応じて表示される態様が例示されているが、これに限定されない。たとえば、左手二本指操作に応じてテンキー画像ＫＴが表示されるようにしてもよい。あるいは、右手および左手の双方による各二本指操作に応じてテンキー画像ＫＴが表示されるようにしてもよい。あるいは、右手および左手の双方による各一本指操作に応じてテンキー画像ＫＴが表示されるようにしてもよい。
【０１４０】
キーボード入力画像ＫＢ（図２０）についても同様である。たとえば、右手および左手の双方による各二本指操作に応じてキーボード入力画像ＫＢが表示されるようにしてもよい。あるいは、片手（右手あるいは左手）のみによる二本指操作に応じてキーボード入力画像ＫＢが表示されるようにしてもよい。
【０１４１】
これらの改変例においても、２種類のキーボード画像ＫＢ，ＫＴが２種類の操作（両手操作および片手操作）に応じて選択的に表示されることが好ましい。
【０１４２】
また、上記においては、右手と左手との双方が近接センサ２１ａ，２１ｂによって検知され且つタッチパネル２５を押下したことに応答して、ソフトウエアキーボードが表示される態様が例示されているが、これに限定されない。たとえば、タッチパネル２５の押下操作の有無にかかわらず、右手と左手との双方が近接センサ２１ａ，２１ｂによって検知されたことに応答して、ソフトウエアキーボードが表示されるようにしてもよい。
【０１４３】
また、上記においては、電子メールの宛先入力画面について例示したが、これに限定されない。たとえば、ファクシミリ送信等の宛先入力画面（宛先指定画面）についても同様である。また、電子メールおよび／またはファクシミリ送信等の「宛先登録画面」に関しても、上記と同様の思想を適用することが可能である。具体的には、宛先登録画面が表示されている際に両手モードによる操作を行うことによって、宛先登録画面内に設けられた入力欄（たとえばファクシミリ番号入力欄（登録欄））に対する入力用のソフトウエアキーボード（ＫＴ等）が、当該宛先登録画面に表示されるようにしてもよい。
【０１４４】
＜４．第４実施形態＞
第４実施形態は、第１実施形態の変形例である。以下では、第１実施形態との相違点を中心に説明する。
【０１４５】
第４実施形態においては、両手モードを用いたメニュー設定操作について説明する。なお、この実施形態においては、図１３のような態様で近接センサ２１ａ，２１ｂが配置されているものとする。
【０１４６】
図２３〜図２５は、第４実施形態における画面遷移を示す図である。一方、図２６〜図２９は、比較例に係る画面遷移を示す図である。
【０１４７】
以下では、まず比較例に係る画面遷移操作について、図２６〜図２９を参照しながら説明する。この比較例においては、近接センサ２１は設けられておらず、タッチパネル２５に対する押下操作のみに応答して画面が遷移する。
【０１４８】
図２６は、コピー用のメニュー画面ＭＧ１（操作画面）がタッチパネル２５に表示されている様子を示す図である。メニュー画面ＭＧ１には、複数のソフトウエアキー画像ＳＫ（ＳＫ１〜ＳＫ７）が表示されている。これらの複数のソフトウエアキー画像ＳＫのいずれかが押下されることによって、押下されたソフトウエアキー画像に対応する詳細設定画面ＳＧ（操作画面）が表示される。たとえば、ソフトウエアキー画像ＳＫ６が操作者の右手の指（たとえば人差し指）で押下されると、動作制御部１４は、「両面／ページ集約」設定に関する詳細設定画面ＳＧ（ＳＧ６）をタッチパネル２５にポップアップ表示する（図２７）。
【０１４９】
次に、操作者は、右手（人差し指）をタッチパネル２５から一旦離した後に、今度は、詳細設定画面ＳＧ内に表示されたソフトウエアキーＳＢを押下することによって適宜の設定操作を行う。たとえば、ソフトウエアキー「片面＞両面」ＳＢが右手の指（たとえば人差し指）で押下されると、「片面」原稿を「両面」印刷する旨が設定される。
【０１５０】
その後、操作者は、右手（人差し指）をタッチパネル２５から一旦離した後に、今度は、詳細設定画面ＳＧを閉じるための操作を行い、当該操作に応じて詳細設定画面ＳＧからメニュー画面ＭＧ１への画面遷移が生じる。具体的には、図２８に示すように、詳細設定画面ＳＧを閉じるための「ＯＫボタン（閉じるボタン）」ＢＣが操作者によって押下されると、詳細設定画面ＳＧから元のメニュー画面ＭＧ１への画面遷移が生じる（図２９参照）。
【０１５１】
次に、第４実施形態に係る画面遷移操作（両手モードを用いた画面遷移操作）について、図２３〜図２５を参照しながら説明する。
【０１５２】
図２３は、図２９と同様の状態を示す図であり、メニュー画面ＭＧ１がタッチパネル２５に表示されている様子を示している。メニュー画面ＭＧ１には、複数のソフトウエアキー画像ＳＫ（ＳＫ１〜ＳＫ７）が動作制御部１４によって表示されている。これらの複数のソフトウエアキー画像（単にソフトウエアキーとも称する）ＳＫのいずれかを操作者が押下することによって、押下されたソフトウエアキーＳＫに対応する詳細設定画面ＳＧが表示される。たとえば、ソフトウエアキーＳＫ６が押下されると、動作制御部１４は、「両面／ページ集約」設定に関する詳細設定画面ＳＧ（ＳＧ６）（図２４参照）をタッチパネル２５にポップアップ表示する。ここでは、ソフトウエアキーＳＫ６が操作者の右手（詳細にはその人差し指）で押下されるとともに、当該ソフトウエアキーＳＫ６の押下状態が暫時継続されるものとする。なお、この時点では、近接センサ２１ａ，２１ｂのうち近接センサ２１ａのみが反応し右手のみが検知されているため、片手モードによる操作が行われている旨が判定される。
【０１５３】
次に、操作者は、詳細設定画面ＳＧ内に表示された別のソフトウエアキーＳＢを今度はもう一方の手（左手）で押下することによって適宜の設定操作を行う。たとえば、図２４に示すように、ソフトウエアキー「片面＞両面」キーＳＢが操作者の左手（詳細にはその人差し指）で押下されると、動作制御部１４は、「片面」原稿を「両面」印刷する旨を設定する。
【０１５４】
左手によるこの操作時点においては、操作者の右手（詳細にはその人差し指）でソフトウエアキーＳＫ６が押下された状態が維持されている。そのため、近接センサ２１ａ，２１ｂはいずれも反応し、判定部１２は両手モードによる操作が行われている旨を判定する。その後、左手がタッチパネル２５上に残っている期間においては、近接センサ２１ａ，２１ｂの双方が反応し、両手モードによる操作が行われている旨が引き続き判定される。両手モードによる操作が行われている期間中においては、動作制御部１４は、ソフトウエアキーＳＫ６の押下状態が継続されていることを条件に、詳細設定画面ＳＧを引き続きタッチパネル２５に表示するとともに詳細設定画面ＳＧ内のソフトウエアキーＳＢの押下操作に応答して詳細設定動作を行う。
【０１５５】
なお、右手がソフトウエアキーＳＫ６から離れる前に左手がタッチパネル２５から離れた場合には、近接センサ２１ｂが反応しなくなる。これに応じて、両手モードから片手モードへの切換が行われれ、上記比較例と同様の動作が実行される。
【０１５６】
ここでは、ソフトウエアキーＳＢの押下後においても左手がタッチパネル２５上に暫時存在しており、両手モードによる操作が行われている旨が引き続き判定されるものとする。そして、両手モードによる操作が行われている期間中に操作者が右手（詳細にはその人差し指）をソフトウエアキーＳＫ６から離すものとする。このとき、詳細設定画面ＳＧから元のメニュー画面ＭＧ１への画面遷移が生じる（図２５参照）。具体的には、ソフトウエアキーＳＫ６の押下状態を解除する操作（解除操作）が両手モードによる操作期間中に実行されることに応答して、動作制御部１４は、ポップアップ表示されていた詳細設定画面ＳＧを閉じる（詳細設定画面ＳＧを非表示状態に変更する）。
【０１５７】
このような両手モードによる画面遷移操作によれば、比較例のような「ＯＫボタン（閉じるボタン）」ＢＣ（図２８）の操作を行うことを要さず、ソフトウエアキーＳＫ６の押下状態を解除することにより詳細設定画面ＳＧを閉じること（元のメニュー画面ＭＧ１への画面遷移を実現すること）が可能である。したがって、詳細設定画面ＳＧを閉じるために更に別のキー操作（キーＳＫ６，ＳＢ以外のキーに対する操作）を行うことを要しないので、操作者は高い操作性を得ることが可能である。換言すれば、両手モードによる操作を利用することによって、操作者は高い操作性を得ることができる。
【０１５８】
＜５．変形例等＞
以上、この発明の実施の形態について説明したが、この発明は上記説明した内容のものに限定されるものではない。
【０１５９】
たとえば、上記各実施形態等においては、２つの近接センサ２１が設けられる態様が例示されているが、これに限定されず、３つ以上の近接センサ２１が設けられるようにしてもよい。
【０１６０】
具体的には、図３０に示すように、４つの近接センサ２１ａ〜２１ｄがタッチパネル２５の右側、左側、上側、下側にそれぞれ設けられるようにしてもよい。この場合、４つの近接センサ２１のうちの２つの近接センサ２１（たとえば右側の近接センサ２１ａおよび上側の近接センサ２１ｃ）が右手検知用のセンサとして機能し、残りの２つの近接センサ２１が左手検知用のセンサとして機能するようにすればよい。具体的には、近接センサ２１ａ，２１ｃの少なくとも一方が反応するとともに近接センサ２１ｂ，２１ｄの少なくとも一方もが反応する場合に、両手による操作が行われている旨が判定されるようにすればよい。あるいは、近接センサ２１ａ，２１ｂのうちの一方（例えば近接センサ２１ａ）が反応している際に、残り３つの近接センサ（例えば近接センサ２１ｂ，２１ｃ，２１ｄ）の少なくとも１つが反応する場合に、両手による操作が行われている旨が判定されるようにしてもよい。たとえば、近接センサ２１ａが反応（右手検知）し且つ近接センサ２１ｃが反応（左手検知）する場合に、両手による操作が行われている旨が判定されるとともに、近接センサ２１ｂが反応（左手検知）し且つ近接センサ２１ｃが反応（右手検知）する場合にも、両手による操作が行われている旨が判定されるようにしてもよい。換言すれば、近接センサ２１ｃは左手検知用のセンサと右手検知用のセンサとを兼用するものとして設けられるようにしてもよい。下側の近接センサ２１ｄも、同様に、右手検知用のセンサと左手検知用のセンサとを兼用するものとして設けられるようにしてもよい。
【０１６１】
あるいは、図３１に示すように、３つの近接センサ２１ａ，２１ｂ，２１ｄがタッチパネル２５の右側、左側、下側にそれぞれ設けられるようにしてもよい。この場合、近接センサ２１ａ，２１ｂのうちの一方（例えば近接センサ２１ｂ）が反応している際に、残り２つの近接センサ（例えば近接センサ２１ａ，２１ｄ）のうちの１つ（たとえば下側の近接センサ２１ｄ）もが反応することによって、両手による操作が行われている旨が判定されればよい。端的に言えば、右側の近接センサ２１ａは右手検知用のセンサとして設けられ且つ左側の近接センサ２１ｂは左手検知用のセンサとして設けられるとともに、下側の近接センサ２１ｄは、右手検知用のセンサと左手検知用のセンサとを兼用するものとして設けられるようにしてもよい。
【０１６２】
また、上述の図１６においては、近接センサ２１ａが右手検知用のセンサとしてのみ機能し、近接センサ２１ｂが左手検知用のセンサとしてのみ機能する態様が例示されているが、これに限定されない。たとえば、図１６における２つの近接センサ２１ａ，２１ｂが、それぞれ、右手検知用のセンサと左手検知用のセンサとを兼用するものとして設けられるようにしてもよい。具体的には、２つの近接センサ２１ａ，２１ｂのうちの一方のみが反応している場合に、片手による操作が行われている旨が判定され、２つの近接センサ２１ａ，２１ｂの双方が反応している場合に、両手による操作が行われている旨が判定されればよい。
【０１６３】
また、上記第４実施形態（詳細には、両手モードを用いた画面遷移操作）においては、ソフトウエアキーＳＫ６の押下状態が継続している場合には、ソフトウエアキーＳＢが押下された後においても詳細設定画面ＳＧは引き続き表示される態様が例示されているが、これに限定されない。たとえば、ソフトウエアキーＳＫ６の押下状態が継続している場合（換言すれば、両手モードによる操作期間中）には、ソフトウエアキーＳＢの押下操作に応答して詳細設定画面ＳＧが直ちに非表示状態に変更されるようにしてもよい。
【０１６４】
より詳細には、まず、タッチパネル２５に表示されたメニュー画面ＭＧ１内のソフトウエアキーＳＫ６が右手で押下されることに応答して詳細設定画面ＳＧがタッチパネル２５にポップアップ表示される（図２４参照）。その後、右手によるソフトウエアキーＳＫ６の押下状態が継続されたまま左手によるソフトウエアキーＳＢに対する押下操作が行われる場合には、両手モードによる操作が行われている旨が判定される。そして、両手モードによる操作期間中に詳細設定画面ＳＧ内のソフトウエアキーＳＢに対する押下操作が実行されることに応答して詳細設定画面ＳＧが直ちに非表示状態に変更される（図２５参照）。
【０１６５】
このように、右手によるソフトウエアキーＳＫ６の押下状態が継続されたまま左手によるソフトウエアキーＳＢを押下する操作が、両手モードによる操作として実行されることに応答して、詳細設定画面ＳＧが直ちに非表示状態に変更されるようにしてもよい。
【０１６６】
なお、逆に、ソフトウエアキーＳＫ６の押下状態が一旦解除されて片手モードによる操作が行われる場合には、上記比較例と同様に、詳細設定画面ＳＧにおける設定用の各ソフトウエアキーＳＢが押下されても、詳細設定画面ＳＧは閉じられることなく引き続き表示されるようにしてもよい。
【０１６７】
このような態様においても、両手モードにおいて操作画面ＳＧを閉じるために更に別のキー操作（キーＳＫ６，ＳＢ以外のキーに対する操作）を行うことを要しないので、操作者は高い操作性を得ることが可能である。すなわち、両手モードによる操作を利用することによって、操作者は高い操作性を得ることができる。また、ソフトウエアキーＳＢの押下により設定が完了した場合において、直ちに詳細設定画面ＳＧを非表示状態に変更することが可能である。
【０１６８】
また、上記各実施形態等においては、近接センサ２１によって右手および左手が検知される態様が例示されているが、これに限定されない。たとえば、他のセンサ（画像センサ等）によって右手および／または左手が検知されるようにしてもよい。
【符号の説明】
【０１６９】
１０  ＭＦＰ（画像形成装置）
６ｃ  操作パネル部
２１，２１ａ〜２１ｄ  近接センサ
２５  タッチパネル
ＧＡ  表（おもて）面画像
ＧＢ  裏面画像
ＧＣ  右側画像
ＧＤ  左側画像
ＫＢ，ＫＴ  キーボード画像
【図１】
2014119660.tif 000003
【図２】
2014119660.tif 000004
【図３】
2014119660.tif 000005
【図４】
2014119660.tif 000006
【図５】
2014119660.tif 000007
【図６】
2014119660.tif 000008
【図７】
2014119660.tif 000009
【図８】
2014119660.tif 000010
【図９】
2014119660.tif 000011
【図１０】
2014119660.tif 000012
【図１１】
2014119660.tif 000013
【図１２】
2014119660.tif 000014
【図１３】
2014119660.tif 000015
【図１４】
2014119660.tif 000016
【図１５】
2014119660.tif 000017
【図１６】
2014119660.tif 000018
【図１７】
2014119660.tif 000019
【図１８】
2014119660.tif 000020
【図１９】
2014119660.tif 000021
【図２０】
2014119660.tif 000022
【図２１】
2014119660.tif 000023
【図２２】
2014119660.tif 000024
【図２３】
2014119660.tif 000025
【図２４】
2014119660.tif 000026
【図２５】
2014119660.tif 000027
【図２６】
2014119660.tif 000028
【図２７】
2014119660.tif 000029
【図２８】
2014119660.tif 000030
【図２９】
2014119660.tif 000031
【図３０】
2014119660.tif 000032
【図３１】
2014119660.tif 000033